(57)【要約】【課題】  配管に軸方向の荷重が加わってもねじれやずれを起こすことなく、板状部材や棒状部材に対して配管を安定的に固定するとともに、配管作業の効率を高めることのできる配管支持具を提供する。【解決手段】  配管支持具１は、合成樹脂製で、支持具本体２と、固定手段とを有する。支持具本体２は、さや管７の外周面に当接する当接部２２が設けられた取付基部２１と、取付基部２１の一端から延設されてさや管７の外周面を帯状に包囲する可動腕部２３と、取付基部２１の他端に形成されて可動腕部２３の先端部が掛止する掛止受部２４とを備える。固定手段は支持具本体２の可動腕部２３の反対側に設けられ、鉄骨梁８のフランジ８１に形成されたボルト孔８２に取着されて支持具本体２を固定し、可動腕部２３がさや管７を外装した配管６を保持する。【選択図】  図２
2005291422.tif 000002
【特許請求の範囲】
【請求項１】
蛇腹状のさや管を外装した配管を保持する合成樹脂製の支持具本体と、この支持具本体を、板状部材に形成された孔部に取着する固定手段とを有し、
前記支持具本体は、さや管の外周面に当接する当接部が設けられた取付基部と、取付基部の一端から延設されてさや管の外周面を帯状に包囲する可動腕部と、取付基部の他端に形成されて可動腕部の先端部が掛止する掛止受部とを備え、
取付基部と可動腕部との間にさや管を抱持させて可動腕部を弾性的に変形させつつ、可動腕部の先端部を掛止受部に掛止させることにより、さや管が保持されることを特徴とする配管支持具。
【請求項２】
可動腕部の先端部には、仮固定用の掛止爪と本固定用の掛止爪が設けられ、これらいずれかの掛止爪が掛止受部に２段階に掛止することを特徴とする請求項１に記載の配管支持具。
【請求項３】
可動腕部の内周面には、さや管の蛇腹状の溝部に係止しうる突起が設けられたことを特徴とする請求項１または２に記載の配管支持具。
【請求項４】
支持具本体の当接部には、さや管の蛇腹状の溝部に係止する突条が設けられたことを特徴とする請求項１〜３のいずれかに記載の配管支持具。
【請求項５】
固定手段は、板状部材の孔部に挿入されるボルト軸部と、このボルト軸部に締結可能なナット部材とからなることを特徴とする請求項１〜４のいずれかに記載の配管支持具。
【請求項６】
固定手段は、板状部材の孔部に挿入される被挟持部と、この被挟持部を板状部材の反対側から挟持する挟持部材とを備え、
被挟持部は、複数の係合片が立設されて縦断面が鋸歯状に形成されるとともに孔部への嵌入方向に一条の嵌合凹部が設けられてなり、
挟持部材は開放端側が弾性的に開閉しうる断面略Ｕ字状に形成され、内面には被挟持部の係合片に係止する複数の係止片と、被挟持部の嵌合凹部に嵌合しうる嵌合凸部とが立設され、側部には開放端側を開閉するつまみ部が延設されてなり、
被挟持部を孔部に挿入し、挟持部材の嵌合凸部を被挟持部の嵌合凹部に嵌合させつつ、係止片を被挟持部の係合片に係止させ、被挟持部を挟持部材によって挟持して板状部材の孔部に取着されることを特徴とする請求項１〜４のいずれかに記載の配管支持具。
【請求項７】
請求項１〜６のいずれかに記載の配管支持具に、配管を棒状部材に固定するためのクリップ部材を付属させた配管支持具であって、
クリップ部材は棒状部材を抱持しうるように湾曲された断面略Ｃ形ないしＵ形の抱持部から２枚の支持板が延設されて重合され、各支持板に２箇所の固定孔が各支持板を貫通するように形成されるとともに、それらの各固定孔の周囲にリブが形成されて、
クリップ部材を棒状部材に取り付け、支持板のいずれか一方の固定孔に固定手段を取着して、配管が棒状部材に固定可能とされることを特徴とする配管支持具。
【発明の詳細な説明】
【技術分野】
【０００１】
本発明は、鉄骨梁のフランジ等の板状部材およびブレース等の棒状部材に配管を固定するための配管固定具に関する。
【背景技術】
【０００２】
従来、住宅等の建物の天井に水道管などの設備配管を配設する場合、配管支持具を用いて天井スラブに吊持状態で取り付けられる例があった。例えば、特許文献１には、天井のコンクリートスラブに打ち込んだボルトに配管支持具の連結部を固定し、その下部に形成された配管受部に配管を保持させて、配管を天井に吊り下げて固定する構成が開示されている。この配管支持具の配管受部は、一対の半円状の部材を下端において蝶番で回動可能に連結して形成され、上端を連結部から垂下された吊下片にボルト固定されている。
【０００３】
また、配管を建物の床面に配設するためには、特許文献２に開示されているような配管支持具も提案されている。この配管支持具は、基台と、基台に立設されて配管を挟み込む挟持部とから構成されている。挟持部の先端には、互いに係合する凹部と凸部とが形成されて、挟持部内に挿入した配管を固定できるようになっている。凹部と凸部とをいったん係合させると、凹部を内側に押し込むか、または凸部を外側に引き出す操作をしない限り、両者の係合が解除されない仕組みである。
【特許文献１】特開２００３−２０２０８６号公報
【特許文献２】特開平１１−２８７３６０号公報
【発明の開示】
【発明が解決しようとする課題】
【０００４】
前記特許文献１の技術による場合、天井面に打ち込んだボルトに連結部を固定して配管受部を設置するので、ボルトを打ち込むことのできる場所にしか配管を固定することができない。また、特許文献２の技術による場合、いったん配管支持具に固定した配管の位置を微調整したり、メンテナンス等で配管を配置し直したりする場合、挟持部先端の凹部と凸部との係合を外して挟持部を開放して固定を緩め、全ての配管をやり直さなければならない。そうすると、配管に手間がかかって効率が悪く、多くの人手も必要となってしまう。
【０００５】
加えて、これらの配管支持具では、固定した配管に何らかの荷重が軸方向に加わると配管がねじれたり、ずれたりしてしまうおそれがあった。
【０００６】
本発明は、このような問題点にかんがみてなされたものであり、配管に軸方向の荷重がかかってもねじれやずれを起こすことなく、板状部材や棒状部材に対して配管を安定的に固定するとともに、配管作業の効率を高めることのできる配管支持具を提供することを目的としている。
【課題を解決するための手段】
【０００７】
前記の課題を解決するために、本発明に係る配管支持具は、蛇腹状のさや管を外装した配管を保持する合成樹脂製の支持具本体と、この支持具本体を、板状部材に形成された孔部に取着する固定手段とを有し、前記支持具本体は、さや管の外周面に当接する当接部が設けられた取付基部と、取付基部の一端から延設されてさや管の外周面を帯状に包囲する可動腕部と、取付基部の他端に形成されて可動腕部の先端部が掛止する掛止受部とを備え、取付基部と可動腕部との間にさや管を抱持させて可動腕部を弾性的に変形させつつ、可動腕部の先端部を掛止受部に掛止させることにより、さや管が保持されることを特徴としている。
【０００８】
この発明により、さや管の固定は可動腕部をさや管の外周面に沿うように抱持させ、可動腕部の先端部を掛止受部に掛止させるだけの容易な操作ですむので、作業性も向上し、配管を所定位置に効率よく配設していくことができる。加えて、さや管を取り外さずに配管の再配設作業が可能となるので、配管の補修や交換作業も容易に行うことができる。
【０００９】
また、本発明は前記配管支持具において、可動腕部の先端部には、仮固定用の掛止爪と本固定用の掛止爪が設けられ、これらいずれかの掛止爪が掛止受部に２段階に掛止することを特徴としている。
【００１０】
ここで、仮固定用の掛止爪は本固定用の掛止爪よりも先端部に設けられていることが好ましく、これにより、さや管が仮固定された状態のときには、さや管と可動腕部との間に僅かな隙間が形成される。したがって、いったんさや管を仮固定して位置調整を行うことができ、さや管を本固定する前に全体的な配管の取付位置を調整しながら配設していくことが可能となる。
【００１１】
さらに、本発明では支持具本体の可動腕部の内周面に、さや管の蛇腹状の溝部に係止しうる突起が設けられていることが好ましい。この発明により、仮固定した状態のさや管には、可動腕部の内周面に設けられた突起が溝部に嵌入して係止しているので、さや管が不用意にぐらついたり軸方向にずれたりするのを防止することができる。加えて、この突起は可動腕部の内周面にあるので、さや管が仮固定状態のときには、さや管を軸方向に動かすとさや管の溝部を突起が乗り越えて位置調整を可能とし、その妨げとはならない。
【００１２】
また、支持具本体の当接部には、さや管の蛇腹状の溝部に係止する突条が設けられていることが好ましい。この発明により、さや管を本固定したとき、この当接部に設けられた突条がさや管の溝部に嵌入して掛止することになるので、さや管が軸方向にずれるのを防ぐことができる。この当接部の突条は、さや管の周方向に沿って立設されていることで、より安定的にさや管を保持することができる。
【００１３】
また、本発明において固定手段は、板状部材の孔部に挿入されるボルト軸部と、このボルト軸部に締結可能なナット部材とからなることを特徴としている。
【００１４】
あるいは前記固定手段は、板状部材の孔部に挿入される被挟持部と、この被挟持部を板状部材の反対側から挟持する挟持部材とを備え、被挟持部は、複数の係合片が立設されて縦断面が鋸歯状に形成されるとともに孔部への嵌入方向に一条の嵌合凹部が設けられてなり、挟持部材は開放端側が弾性的に開閉しうる断面略Ｕ字状に形成され、内面には被挟持部の係合片に係止する複数の係止片と、被挟持部の嵌合凹部に嵌合しうる嵌合凸部とが立設され、側部には開放端側を開閉するつまみ部が延設されてなり、被挟持部を孔部に挿入し、挟持部材の嵌合凸部を被挟持部の嵌合凹部に嵌合させつつ、係止片を被挟持部の係合片に係止させ、被挟持部を挟持部材によって挟持して板状部材の孔部に取着されることを特徴とするものであってもよい。
【００１５】
これらの発明により、鉄骨梁のフランジ部や壁材の表面など、板状部材の孔部であればどのような箇所にも支持具本体を取り付けて、さや管を介して配管を固定することができる。また、支持具本体を板状部材の孔部に取り付けるために複雑な作業工程を必要としないので作用性が高まり、少数の作業者であっても熟練を要することなく支持具本体を容易に取り付けることができる。
【００１６】
また、本発明は前記配管支持具に、配管を棒状部材に固定するためのクリップ部材を付属させた配管支持具であって、クリップ部材は棒状部材を抱持しうるように湾曲された断面略Ｃ形ないしＵ形の抱持部から２枚の支持板が延設されて重合され、各支持板に２箇所の固定孔が各支持板を貫通するように形成されるとともに、それらの各固定孔の周囲にリブが形成されて、クリップ部材を棒状部材に取り付け、支持板のいずれか一方の固定孔に固定手段を取着して、配管が棒状部材に固定可能とされることを特徴としている。
【００１７】
この発明により、配管を板状部材だけでなく、鉄骨軸組に架設されているブレース等の棒状部材に対しても固定することができるので、このクリップ部材を併用することで配管を所定位置までより安定的に配設することができる。
【発明の効果】
【００１８】
本発明の配管支持具によれば、配管をいったん支持具本体に仮固定して配管位置の調整を行うことができ、作業効率を高めることができるとともに、本固定したさや管に軸方向の荷重がかかっても、ねじれやずれを起こすことなく安定的な固定状態を維持することができる。また、支持具本体の取り付け作業も、取り付ける場所が板状部材であっても棒状部材であっても、複雑な作業を要することなく容易に行うことができるので、従来の配管支持具に比べて格段に作業性を高めることができる。
【発明を実施するための最良の形態】
【００１９】
以下、本発明に係る配管支持具の実施の形態について、図面を参照しつつ説明する。
【００２０】
本発明の配管支持具は、板状部材に形成された孔部に取着されて、蛇腹状のさや管７を外装した配管６を保持する合成樹脂製の配管支持具１であって、支持具本体２と固定手段とを有する。
【実施例１】
【００２１】
図１〜図４は本発明に係る配管支持具の実施例１を示し、配管支持具１によって鉄骨梁８およびブレース９からなる鉄骨軸組に配管６を配設する場合について示している。
【００２２】
図１に示すように、この配管支持具１の支持具本体２は、配管６を取り付ける鉄骨梁８のフランジ８１の下面に当接する取付基部２１と、取付基部２１の一端から延設されている可動腕部２３と、取付基部２１の他端に形成されて可動腕部２３の先端部が掛止する掛止受部２４とを備え、合成樹脂によりこれら各部が一体に形成されている。
【００２３】
取付基部２１は、フランジ８１などの板状部材の表面に容易に取り付けられるように外側面が平坦に形成されており、内側にはさや管７の外周面に沿う形状の当接部２２が形成されている。
【００２４】
可動腕部２３は弾性を有しており、さや管７の外周面を包囲しうる薄板帯状に形成されている。可動腕部２３の内周は、さや管７の外周面に沿う略円筒状に形成され、基端部２３ａも当接部２２の延長上に連続して略円筒状をなすように延出形成されている。そして、この可動腕部２３は、その弾性を利用して、取付基部２１との接続部を支点として周方向に可動するように形成されている。また、この可動腕部２３の先端部側には、可動腕部２３をさや管７の外周面に沿わせて仮固定するための掛止爪２３１と、本固定するための掛止爪２３２とが並設されている。
【００２５】
これらの掛止爪２３１，２３２は、掛止受部２４に嵌挿される。図示するように、掛止受部２４は、可動腕部２３が延出された取付基部２１の反対側の端部に設けられ、取付基部２１の外側面および内側面に貫通する開口として形成されている。そして、掛止受部２４の開口は、可動腕部２３の嵌挿を許容しうる大きさで形成され、掛止爪２３１，２３２が掛止しうる受爪２４１が立設されている。
【００２６】
本発明の配管支持具１においては、可動腕部２３の内周面に、さや管７の蛇腹状の溝部に係止しうる突起２３４が設けられている。また、当接部２２には、さや管７の蛇腹状の溝部に係止する突条２２１が設けられている。前記の可動腕部２３の突起２３４は、この当接部２２の突条２２１と同一円周上に形成されている。
【００２７】
このように突条２２１および突起２３４が形成されていることにより、さや管７が可動腕部に抱持されて仮固定用の掛止爪２３１が掛止受部２４の受爪２４１に掛止されると、さや管７の溝部に可動腕部２３の突起２３４が係止して、さや管７が仮固定される。この仮固定の状態では、突起２３４によって、さや管７が支持具本体２から不用意に抜け落ちるのを防いでいるが、さや管７の外周面と可動腕部２３との間には僅かな隙間があるので、さや管７を軸方向に引っ張って動かすことにより、さや管７の位置調整をすることも可能である。
【００２８】
また、可動腕部２３を掛止受部２４にさらに挿し込んで本固定用の掛止爪２３２を受爪２４１に掛止させると、当接部２２および可動腕部２３がさや管７の外周面に沿った略円筒状に固定され、さや管７の蛇腹状の溝部に突起２３４および突条２２１が係止して、さや管７が本固定される。こうして、さや管７が支持具本体２に本固定されると、さや管７に外力が加わっても、ずれたりねじれたりすることなく安定的に固定される。
【００２９】
かかる突起２３４は、可動腕部２３の内周面のうち、突条２２１と同一円周上に形成されており、さや管７の溝部に係止して仮固定しうるものであれば、どのような形状であってもよい。また、突条２２１も、当接部２２のいずれの場所に形成されてもよく、さや管７の溝部に係止して本固定しうるものであれば、どのような形状であってもよい。
【００３０】
一方、取付基部２１の外側面には、固定手段が設けられている。例示の形態では、固定手段はボルト状に形成されたボルト軸部３１と、ナット部材３２とを備えており、ボルト軸部３１が鉄骨梁８のボルト孔（孔部）８２に挿入されてナット締結され、鉄骨梁８のフランジ８１に固定される構成である。
【００３１】
さらに配管支持具１は、配管６を鉄骨梁８だけでなくブレース９に対しても固定するために、ブレース９に片持ち状に取り付けられるクリップ部材４を有している。図３に示すように、このクリップ部材４は、ブレース９を抱持しうるように湾曲された断面略Ｃ形ないしＵ形の抱持部４１から２枚の支持板４２が延設されて重合して形成されている。
【００３２】
各支持板４２には、２箇所の固定孔４３，４３が各支持板４２を貫通するように形成されている。各固定孔４３は、前記鉄骨梁８のボルト孔８２と同様の作用をなし、支持具本体２のボルト軸部３１が挿入され、ナット締結することで支持具本体２を固定できるように形成されている。
【００３３】
これらの固定孔４３，４３の周囲には、適宜の高さのリブ４４が立設されている。支持具本体２の大きさがクリップ部材４に対してやや大きい場合、取付基部２１が抱持部４１および４５に引っ掛かり、しっかり固定できないことも考えられるが、このようにリブ４４が立設されていることで、かかる問題が解消され、支持具本体２の大きさに拘らず固定孔４３に安定して固定することができる。
【００３４】
次に、前記構成の配管支持具１を用いて、配管６を鉄骨梁８等の鉄骨軸組に配設する方法について説明する。
【００３５】
まず、図２に示すように、配管支持具１のボルト軸部３１を鉄骨梁８の下部フランジ８１の適宜のボルト孔８２に挿入し、ボルト軸部３１にナット部材３２を螺合させて締結する。次に、配管６に外装されるさや管７を支持具本体２の可動腕部２３の内側に抱持させつつ、可動腕部２３を掛止受部２４に挿し込んで掛止爪２３１を受爪２４１に掛止し、さや管７を仮固定する。
【００３６】
続いて、仮固定したさや管７の取付位置を軸方向に微調整して、適当な位置に配置させたのち、さらに可動腕部２３を掛止受部２４に挿し込んで掛止爪２３２を受爪２４１に掛止させ、さや管７を本固定する。これにより、さや管７は可動腕部２３に抱持されるとともに、突起２３４および突条２２１がさや管７の溝部に係止して軸方向にずれることなく固定される。このように固定されたさや管７に、配管６を内装させて、配管６を鉄骨梁８に配設していく。また、さや管７内のパイプを更新する際に、突条２２１がさや管７のずれを防止できる。
【００３７】
また、図４に示すように、鉄骨梁８だけでなく、捕鋼材として鉄骨梁８に対角線状に配設されたブレース９に対しては、配管支持具１のクリップ部材４をブレース９の適宜の位置に挿し込み、抱持部４１においてブレース９を抱持するように片持ち状に取り付ける。これにより、支持具本体２のボルト軸部３１を挿入させる孔部（固定孔４３）が得られるので、クリップ部材４の左右いずれか一方の固定孔４３にボルト軸部３１を挿入させてナット締結し、支持具本体２を固定する。
【００３８】
ここで、クリップ部材４には固定孔４３が左右に２個設けられているため、ブレース９の太さに合わせていずれかの固定孔４３を適宜選択することで安定的に固定することができ、例えばブレース９が太い場合には、抱持部４１から離れた方の固定孔４３にボルト軸部３１を挿入し、支持板４２の弾性を利用しつつ支持具本体２を固定することができる。
【００３９】
続いて、可動腕部２３にさや管７を保持させ、位置調整をした後さや管７を本固定して配管６をブレース９に固定する。これにより、配管６を鉄骨梁８のフランジ８１の下面およびブレース９に固定して、配管６を所定位置まで配設することができる。
【００４０】
なお、本発明の配管支持具１によれば、配管６を、板状部材であれば鉄骨梁等の水平方向に設けられた部材だけでなく、壁材等の垂直方向に設けられた部材に対しても同様に固定することができる。
【実施例２】
【００４１】
次に、本発明に係る配管支持具１の実施例２について説明する。図５および図６は配管支持具１の実施例２を示す斜視図である。この配管支持具１は、前記実施例１と固定手段の構成が異なっているので、この固定手段の特徴について詳述する。
【００４２】
例示の形態において固定手段は、前記フランジ８１等の板状部材の孔部に挿入される被挟持部５１と、この被挟持部５１を板状部材の反対側から挟持する挟持部材５２とを備えている。
【００４３】
図５に示すように、被挟持部５１は、支持具本体２の取付基部２１の外側面に立設され、表裏両面に複数の係合片５１１が設けられて縦断面が鋸歯状に形成されている。また、この被挟持部５１の表面のほぼ中央部には、孔部への嵌入方向に一条の嵌合凹部５１２が設けられている。
【００４４】
これに対し、挟持部材５２は、前記の被挟持部５１をクリップ状に挟持して支持具本体２を板状部材に固定しうるように形成されている。図６に示すように、挟持部材５２は、開放端側が弾性的に開閉しうる断面略Ｕ字状の形状を有し、内面には、被挟持部５１の係合片５１１に係止する複数の係止片５２１と、被挟持部５１の嵌合凹部５１２に嵌合しうる一条の嵌合凸部５２２とが立設されている。また、挟持部材５２の側部には、開放端側を開閉するためのつまみ部５２３が延設されて、これらが一体に成形されている。
【００４５】
このような構成の配管支持具１を用いて配管６を固定する場合、被挟持部５１を板状部材の孔部に挿入し、挟持部材５２の嵌合凸部５２２を被挟持部５１の嵌合凹部５１２に嵌合させつつ、係止片５２１を被挟持部５１の係合片５１１に係止させて被挟持部５１を挟持部材５２によって板状部材の反対面から挟持する。これにより、支持具本体２が板状部材の孔部に取着される。そして、さや管７を可動腕部２３により固定して配管６を配設することができる。また、つまみ部５２３の上端部を内側に倒すことで、洗濯バサミのように簡単に取りはずしできる。
【産業上の利用可能性】
【００４６】
本発明の配管支持具は、鉄骨梁やブレース等の鉄骨軸組からなる建物の天井部や、建物の壁材等に配管を固定して配設するのに好適に利用することができる。
【図面の簡単な説明】
【００４７】
【図１】本発明に係る配管支持具の実施例１を示す斜視図である。
【図２】本発明に係る配管支持具を用いて鉄骨梁のフランジに配管を固定するところを示す斜視図である。
【図３】本発明に係る配管支持具のクリップ部材を示す斜視図である。
【図４】本発明に係る配管支持具を用いてブレースに配管を固定するところを示す斜視図である。
【図５】本発明に係る配管支持具の実施例２を示す斜視図である。
【図６】前記実施例２の配管支持具の挟持部材を示す斜視図である。
【符号の説明】
【００４８】
配管支持具  １
支持具本体  ２
取付基部    ２１
当接部      ２２
突条        ２２１
可動腕部    ２３
掛止爪（仮固定用）  ２３１
掛止爪（本固定用）  ２３２
突起        ２３４
掛止受部    ２４
ボルト軸部  ３１
ナット部材  ３２
クリップ部材  ４
抱持部      ４１
支持板      ４２
固定孔      ４３
リブ        ４４
被挟持部    ５１
係合片      ５１１
嵌合凹部    ５１２
挟持部材    ５２
係止片      ５２１
嵌合凸部    ５２２
つまみ部    ５２３
配管        ６
さや管      ７
鉄骨梁      ８
フランジ    ８１
ボルト孔    ８２
ブレース    ９
【図１】
2005291422.tif 000003
【図２】
2005291422.tif 000004
【図３】
2005291422.tif 000005
【図４】
2005291422.tif 000006
【図５】
2005291422.tif 000007
【図６】
2005291422.tif 000008